(57)【特許請求の範囲】
【請求項１】
軸筒内に、筒体の先端部に筆記部を具備してなる筆記体を複数本配設し、各筆記体の筒体の後端部内に、摺動体の圧入部を圧入装着により連接し、前記摺動体をコイルスプリングにより軸筒後端方向に付勢して摺動自在に収納するとともに、一方の摺動体を軸筒先端方向にスライドすることにより、一方の摺動体の後端部に形成した係合突起を係止部に係止して、一方の筆記体の筆記先端部を軸筒先端開口部からの突出を維持し、他方の摺動体を軸筒先端方向にスライドせしめることで、前記係止部に係止していた一方の摺動体の係合突起を係脱させ、一方の筆記体の筆記先端部を先端開口部より没入可能なスライド式の多芯筆記具であって、前記他方の摺動体に連接した他方の筆記体の筆記先端部が、前記一方の筆記体の筆記先端部から離間するように、前記他方の筆記体を、軸筒先端開口部に向かって、前記他方の摺動体の隆起部を正面側から見て、左右どちらか一方向に傾斜して配設したことを特徴とするスライド式の多芯筆記具。
【請求項２】
前記軸筒内に、３本の筆記体を配設するとともに、前記各摺動体が、前記一方の摺動体から９０度間隔で順次配設してあり、前記他方の摺動体に連接した筆記体の筆記先端部が、前記一方の筆記体の筆記先端部から離間するように、前記他方の筆記体を、軸筒先端開口部に向かって、前記各摺動体の隆起部を正面側から見て、左右どちらか一方向、且つ各摺動体に対して同方向に傾斜して配設したことを特徴とする請求項１に記載のスライド式の多芯筆記具。
【請求項３】
前記軸筒内に、３本の筆記体を配設するとともに、前記各摺動体が、前記一方の摺動体を中央に、９０度間隔で順次配設してあり、前記他方の摺動体に連接した筆記体の筆記先端部が、前記一方の筆記体の筆記先端部から離間するように、前記他方の筆記体を、軸筒先端開口部に向かって、前記各摺動体の隆起部を正面側から見て、左右どちらか一方向に傾斜して配設したことを特徴とする請求項１に記載のスライド式の多芯筆記具。
【請求項４】
前記一方の筆記体における軸筒の先端部外径が、前記他方の筆記体における軸筒の先端部外径よりも大径であることを特徴とする請求項１ないし３の何れか１項に記載のスライド式の多芯筆記具。
【請求項５】
前記他方の摺動体が、前記圧入部より後方に前記隆起部を正面側から見て、左右どちらか一方のみ突設した非円周状の突設部を形成してあり、前記他方の筆記体が、前記突設部の反対方向に傾斜することを特徴とする請求項１ないし４の何れか１項に記載のスライド式の多芯筆記具。
【発明の詳細な説明】
【技術分野】
【０００１】
本発明は、軸筒内に複数本の筆記体を配設してなるスライド式の多芯筆記具に関する。
【背景技術】
【０００２】
従来から、特開２００１−２３９７９１号公報「スライド式の多芯筆記具」に開示されているように、スライド式の多芯筆記具として、例えば、一方の摺動体の隆起部を前軸の先端開口部方向にスライドすることにより、摺動体の後端部に形成した係止部を軸筒に形成した止め部に係止して、筆記体の筆記先端部を先端開口部から突出した状態を維持し、他方の摺動体の隆起部を前軸の先端開口部方向にスライドせしめることで、他方の摺動体の解除突起が一方の摺動体に当接するとともに、止め部に係止していた一方の摺動体の係止部を係脱させ、一方の筆記先端部を先端開口部より没入させ、さらに他方の摺動体を前進することにより他方の係止部が止め部に係止して他方の筆記体の筆記先端部の突出状態を維持する、筆記先端部を選択して出没可能な出没機構を有する、ボールペンレフィル等、複数の筆記体を軸筒内に収容した構造のスライド式の多芯筆記具は良く知られている。
【先行技術文献】
【特許文献】
【０００３】
【特許文献１】「特開２００１−２３９７９１号公報」
【発明の開示】
【発明が解決しようとする課題】
【０００４】
こうしたスライド式の多芯筆記具は、複数の筆記体を配設するために、軸筒の内径を大きくすることが必要であった。これは、軸筒の内径が小さいと筆記体同士の間隔が狭く、出没時に、筆記体が軸筒の先端開口部に向かって傾動したときに、筆記体同士が接触し、出没作動がスムーズに行えない恐れがあり、筆記体同士の間隔を広げるために、軸筒の内径を大きくする必要があるためである。
【０００５】
特に、シャープペンシル等、外径の大きな筆記体を配設すると、出没時に、軸筒の先端開口部に向かって傾動したときに、筆記体同士が接触しやすく、スムーズな出没が得られにくい問題があった。
【０００６】
本発明の目的は、上述した従来の問題点等に鑑み、軸筒内径を大きくすることなく、筆記先端部の出没がスムーズなスライド式の多芯筆記具を簡単な構造で提供することである。
【課題を解決するための手段】
【０００７】
本発明は、軸筒内に、先端部に筆記部を具備してなる筆記体を複数本配設し、各筆記体の筒体の後端部内に、摺動体の圧入部を圧入装着により連接し、前記摺動体をコイルスプリングにより軸筒後端方向に付勢して摺動自在に収納するとともに、一方の摺動体を軸筒先端方向にスライドすることにより、一方の摺動体の後端部に形成した係合突起を係止部に係止して、一方の筆記体の筆記先端部を軸筒先端開口部からの突出を維持し、他方の摺動体を軸筒先端方向にスライドせしめることで、前記係止部に係止していた一方の摺動体の係合突起を係脱させ、一方の筆記体の筆記先端部を軸筒先端開口部より没入可能なスライド式の多芯筆記具であって、前記他方の摺動体に連接した他方の筆記体の筆記先端部が、前記一方の筆記体の筆記先端部から離間するように、前記他方の筆記体を、軸筒先端開口部に向かって、前記他方の摺動体を正面側から見て、左右どちらか一方向に傾斜して配設したことを特徴とする。
【０００８】
また、前記軸筒内に、３本の筆記体を配設するとともに、前記各摺動体が、前記一方の摺動体から９０度間隔で順次配設してあり、前記他方の摺動体に連接した筆記体の筆記先端部が、前記一方の筆記体の筆記先端部から離間するように、前記他方の筆記体を、軸筒先端開口部に向かって、前記各摺動体を正面側から見て、左右どちらか一方向、且つ各摺動体に対して同方向に傾斜して配設したことを特徴とする。
【０００９】
また、前記軸筒内に、３本の筆記体を配設するとともに、前記各摺動体が、前記一方の摺動体を中央に、９０度間隔で順次配設してあり、前記他方の摺動体に連接した筆記体の筆記先端部が、前記一方の筆記体の筆記先端部から離間するように、前記他方の筆記体を、軸筒先端開口部に向かって、前記各摺動体の隆起部を正面側から見て、左右どちらか一方向に傾斜して配設したことを特徴とする。
【００１０】
また、前記一方の筆記体における軸筒の先端部外径が、前記他方の筆記体における軸筒の先端部外径よりも大径であることを特徴とする。
【００１１】
さらにまた、前記他方の摺動体が、前記圧入部より後方に前記摺動体の隆起部を正面側から見て、左右の外壁のどちらか一方のみ突設した非円周状の突設部を形成してあり、前記他方の筆記体が、前記突設部により各摺動体の隆起部を正面側から見て、左右どちらか一方向に傾斜することを特徴とする。
【００１２】
本願発明の請求項１の構成によれば、軸筒内に筆記体を複数本配設したスライド式の多芯筆記具において、前記他方の摺動体に連接した他方の筆記体の筆記先端部が、前記一方の筆記体の筆記先端部から離間するように、前記他方の筆記体を、軸筒先端開口部に向かって、前記他方の摺動体の隆起部を正面側から見て、左右どちらか一方向にして配設している。その結果、各筆記体の筆記先端部において、他方の筆記体の筆記先端部を一方の筆記体の先端部から離間して配設することができる。そのため、出没時に、一方の筆記体が、軸筒の先端開口部に向かって傾動したときに、筆記体同士を接触し難くすることができる。その結果、軸筒内径を大きくすることなく、スムーズな出没作動を得ることができるため、一方の筆記体に、金属製等、傾動し難く、及び／または外径の大きい筆記体を配設することが可能となる。
【００１３】
本願発明の請求項２の構成によれば、軸筒内に筆記体を３本配設したスライド式の多芯筆記具において、前記各摺動体が、前記一方の摺動体から９０度間隔で順次配設してあり、前記他方の摺動体に連接した筆記体の筆記先端部が、前記一方の筆記体の筆記先端部から離間するように、前記他方の筆記体を、軸筒先端開口部に向かって、前記各摺動体の隆起部を正面側から見て、左右どちらか一方向、且つ各摺動体に対して同方向に傾斜して配設している。その結果、各筆記体の筆記先端部において、筆記体の配設してない空間に、他方の筆記体の筆記先端部が位置し、他方の筆記体の筆記先端部を一方の筆記体の先端部から離間して配設することができるとともに、他方の筆記体同士も近接することがない。そのため、他方の出没作動に影響することなく、一方の筆記体が、軸筒の先端開口部に向かって傾動して出没しても、筆記体同士が接触し難くすることができ、軸筒内径を大きくすることなく、スムーズな出没作動を得ることができる。
【００１４】
本願発明の請求項３の構成によれば、軸筒内に筆記体を３本配設したスライド式の多芯筆記具において、前記各摺動体が、前記一方の摺動体を中央に、９０度間隔で順次配設してあり、前記他方の摺動体に連接した筆記体の筆記先端部が、前記一方の筆記体の筆記先端部から離間するように、前記他方の筆記体を、軸筒先端開口部に向かって、前記各摺動体の隆起部を正面側から見て、左右どちらか一方向に傾斜して配設している。その結果、請求項２と同様に、各筆記体の筆記先端部において、筆記体の配設してない空間に、他方の筆記体の筆記先端部が位置し、他方の筆記体の筆記先端部を一方の筆記体の先端部から離間して配設することができるとともに、他方の筆記体同士も近接することがない。そのため、他方の出没作動に影響することなく、一方の筆記体が、軸筒の先端開口部に向かって傾動して出没しても、筆記体同士が接触し難くすることができ、軸筒内径を大きくすることなく、スムーズな出没作動を得る。
【００１５】
また、前記した構成であれば、本願発明の請求項４の構成のように、前記一方の筆記体の先端部外径が、前記他方の筆記体の先端部外径よりも大径であっても、スムーズな出没を得ることができるので、筆記体に収容するインキ、鉛芯等、幅広く用いることが可能となる。
【００１６】
本願発明の請求項５の構成によれば、前記他方の摺動体が、前記圧入部より後方に前記隆起部を正面側から見て、左右どちらか一方のみ突設した非円周状の突設部を形成してあり、前記他方の筆記体が、前記突設部の反対方向に傾斜してある。そのため、前記突設部以外の方向において、摺動体に対して筆記体が傾斜し易く、よりスムーズな出没作動を得ることができ、組立作業も容易にすることができ、簡単な構造で提供することができる。
【発明の効果】
【００１７】
本発明は、前述した構成なので、外径の大きな筆記体を配設しても筆記先端部の出没がスムーズなスライド式の多芯筆記具を簡単な構造で提供することができた。
【図面の簡単な説明】
【００１８】
【図１】実施例１におけるスライド式の多芯筆記具を示す縦断面図である。
【図２】図１における、他方の摺動体を正面側から見た図と要部を拡大した図である。
【図３】図１における一部省略したＡ−Ａ拡大断面図である。
【図４】図２における一部省略したＣ−Ｃ拡大断面図である。
【図５】図１における一部省略したＢ−Ｂ拡大断面図である。
【図６】図１における一方の筆記体を突出した状態を示す一部省略した図である。
【図７】図６における一部省略したＤ−Ｄ拡大断面図である。
【図８】実施例２におけるスライド式の多芯筆記具を示す図である。
【図９】図８における他方の摺動体を正面側から見た図と要部を拡大した図である。
【図１０】図８における一部省略したＥ−Ｅ拡大断面図である。
【図１１】図９における一部省略したＦ−Ｆ拡大断面図である。
【図１２】他の例を示す、軸筒先端部の一部省略した要部拡大断面図である。
【発明を実施するための最良の形態】
【００１９】
以下、図面を参照して本発明の実施例を説明する。尚、図面中同じ部材、同じ部品については同じ番号を付してある。
【００２０】
実施例１
図１から図７に示す実施例１のスライド式の多芯筆記具１は、前軸２と後軸３を螺着して軸筒本体を構成し、後軸３に付設した摺動ケース４内に配設した、一方及び他方の摺動体５、６の各隆起部５ａ、６ａを、摺動ケース４の開口部４ａから外部に露出して１８０度間隔で順次配設してある２本の筆記体を配設した多芯筆記具である。
【００２１】
各筆記体８、１１は、コイルスプリング１４、１５により後方に付勢させて摺動可能に連接してある、従来から知られている出没機構の筆記体を２本配設したスライド式の多芯筆記具である。また、後軸３の内部には、筆記体を区画する区画部材７を配設してあり、各筆記体８、１１の軸心は、軸筒本体の後端部では、略同心円上に位置している。
【００２２】
ボールペンの筆記体８について詳述すると、合成樹脂製からなる筒体９の先端部に、ボールを回転自在に抱持したボールペンチップからなる筆記先端部１０を装着し、筒体９内に黒の油性ボールペン用インキ（図示せず）を直に収容したボールペンレフィルからなる筆記体である。
【００２３】
シャープペンシルの筆記体１１について詳述すると、金属製からなる筒体１２の先端部に、鉛芯繰り出し機構を具備した筆記先端部１３を装着し、筒体１２内に黒の鉛芯（図示せず）を直に収容したシャープペンシルからなる筆記体である。
【００２４】
一方の筆記体８のボールペンチップからなる筆記先端部１０を前軸２の先端開口部２ａから突出させるには、摺動体５の隆起部５ａを、先端に向かって前軸２の先端開口部２ａ方向へスライド（図２の矢印Ｆ方向）することにより、摺動体５に形成した係合突起５ｂが後軸３内に形成した係止部（図示せず）に係止して、一方の筆記体８の筆記先端部１０を前軸の先端開口部２ａから選択して突出を維持することができる。
【００２５】
筆記体１０の筆記先端部１２が前軸の先端開口部２ａから突出を維持した状態で、他方の摺動体６を前軸２の先端開口部２ａ方向にスライドすることで、摺動体６の解除突起６ｃが摺動体５の係止を解除し、筆記体１０の筆記先端部１２を軸筒２内に没入させることができる。さらに、摺動体６を前軸の先端開口部２ａ方向へスライドすることにより、他方の筆記体１１の筆記先端部１３の突出状態を維持することができる。また、筆記体１１の筆記先端部１３の突出を維持した状態で、摺動ケース４を前軸の先端開口部２ａに押圧することで、鉛芯繰り出し機構を作動させ、鉛芯を繰り出すことができる。
【００２６】
一方の摺動体５には、先端部に筒体９の後端部に圧入する圧入部５ｄを設けてあり、この圧入部５ｄより後方に、隆起部５ａを正面側から見て、左右のどちらか一方向のみ突設した、非円周状に形成した円弧状の突設部５ｅを形成してある。そのため、筒体９と摺動体５が連接すると、筒体９の後端部に摺動体５の圧入部５ｄが圧入し、且つ突設部５ｅにより、筆記体８は、筆記先端部１０方向に向かって、摺動体５の隆起部５ａを正面側から見て、左右のどちらか一方向（突設部５ｅの反対方向）に傾斜した状態で、軸筒本体内に配設されている。
【００２７】
筆記体８を摺動体５の隆起部５ａを正面側から見て、左右どちらか一方向に傾斜して配設することで、図６に示すように、筆記体８の筆記先端部１０と筆記体１１の筆記先端部１３とは離間した状態で待機するために、筆記体１１の突出時等、筆記体１１の筆記先端部１３が、前軸の先端開口部２ａ方向に傾動しても筆記体同士が当接し難く、スムーズに出没することができる。
【００２８】
実施例２
図８〜図１１に示す実施例２のスライド式の多芯筆記具２１は、前軸２２と後軸２３を螺着した軸筒本体に２本のボールペンからなる筆記体２８、３７と、シャープペンシルからなる筆記体３１の３本の筆記体を配設したスライド式の多芯筆記具である。各摺動体２５、２６、３６の各隆起部２５ａ、２６ａ、３６ａは、後軸２３に付設した摺動ケース２４の開口部２４ａから外部に露出して９０度間隔で順次配設してある。
【００２９】
各筆記体２８、３１、３５はコイルスプリング３４、３５、４０により後方に付勢させて摺動可能に連接してある。また、後軸２３の内部には、筆記体を区画する区画部材２７を配設してあり、各筆記体２８、３１、３７の軸心は、軸筒本体の後端部では、略同心円上に位置している。
【００３０】
一方の筆記体である第１の筆記体２８のボールペンチップからなる筆記先端部３０を前軸２２の先端開口部２２ａから突出させるには、摺動体２５の隆起部２５ａを、先端に向かって漸次縮径する前軸２２の先端開口部２２ａ方向へスライドする（図示せず）に係止して、第１の筆記体２８の筆記先端部３０を前軸の先端開口部２２ａから選択して突出を維持する。
【００３１】
第１の筆記体２８の筆記先端部３０が前軸の先端開口部２２ａから突出を維持した状態で、他方の筆記体である第２の摺動体２６又は第３の摺動体３６を前軸２２の先端開口部２２ａ方向にスライドすることで、摺動体２６の解除突起２６ｃ又は摺動体３６の解除突起が摺動体２５の係止を解除し、筆記体２８の筆記先端部３０を軸筒２２内に没入させることができる。さらに、第２の摺動体２６又は第３の摺動体３６を前軸の先端開口部２２ａ方向へスライドすることにより、第２の筆記体３１の筆記先端部３３又は第３の筆記体３７のボールペンチップからなる筆記先端部３９の突出状態を維持する。
【００３２】
第３の摺動体３６には、先端部に筒体３８の後端部に圧入する圧入部３６ｄを設けてあり、この圧入部３６ｄより後方に、隆起部３６ａを正面側から見て、左右どちらか一方向のみ突設した、非円周状に形成した円弧状の突設部３６ｅを形成してある。そのため、筒体３８と摺動体３６が連接すると、筒体３８の後端部に摺動体３６の圧入部３６ｄが圧入し、且つ突設部３６ｅにより、筆記体３７は、筆記先端部３９方向に向かって、摺動体３６の隆起部３６ａを正面側から見て、左右どちらか一方向（突設部３６ｅの反対方向）に傾斜した状態で、軸筒本体内に配設されている。第１の摺動体２５も第３の摺動体３６と同様に、筒体２９に圧入する圧入部（図示せず）と、圧入部より後方に、隆起部２５ａを正面側から見て、左右のどちらか一方向のみ突設した、非円周状に形成した円弧状の突設部（図示せず）を形成してあり、筆記体２８を、筆記先端部３０方向に向かって、摺動体２５の隆起部２５ａを正面側から見て、左右どちらか一方向（突設部の反対方向）に傾斜した状態で、軸筒本体内に配設してある。尚、少なくとも第１の摺動体２５と第３の摺動体３６は、色は異なるが同一形状としてある。
【００３３】
第１、第３の筆記体２８、３７を各摺動体２５、３６の隆起部２５ａ、３６ａを正面側から見て、左右どちらか一方向、且つ各隆起部２５ａ、３６ａに対して同方向に傾斜して配設すると、図１１に示すように、太径の第２の筆記体３１の筆記先端部３３と第１、第３の筆記体２８、３７の筆記先端部３０、３９とは、傾斜する前の状態（図１１の破線）に比べ離間した状態で待機するために、第２の筆記体３１の突出時等、軸筒の先端開口部２２ａ方向に傾動しても筆記体同士が当接し難く、スムーズに出没する。また、第１、第３の筆記体２８、３７の筆記先端部３０、３９同士も近接することはない。
【００３４】
図１２に示す他の例は、実施例２において、３本の筆記体２８、３１、３７の配列を替えて、中央に第２の筆記体３１を配設した例である。第１及び第３の筆記体２８、３７を、筆記先端部３０、３９方向に向かって、各摺動体の隆起部を正面側から見て、左右どちらか一方向（突設部の反対方向）、且つ第１及び第３の筆記体２８、３７は、第２の筆記体３１の筆記先端部３３から離間する同一方向に傾斜しているものである。
【００３５】
第１、第３の筆記体２８、３７を各摺動体の隆起部を正面側から見て、左右どちらか一方向、且つ横断面における同方向に傾斜して配設すると、太径の第２の筆記体３１の筆記先端部３３と第１、第３の筆記体２８、３５の筆記先端部３０、３７とは、傾斜する前の状態（破線）に比べ離間した状態で待機するために、第２の筆記体３１の突出時等、軸筒の先端開口部２２ａ方向に傾動しても筆記体同士が当接し難く、スムーズに出没する。また、第１、第３の筆記体２８、３７の筆記先端部３０、３９同士も近接することはない。尚、図示はしていないが、第１、第３に連接する摺動体は、第１、第３の筆記体２８、３７を各摺動体の隆起部を正面側から見て、左右のどちらか一方向、且つ横断面における同方向に傾斜して配設する方向に突設部を設けてある。
【００３６】
本実施例では、便宜上、摺動体に形成した突設部によって、各摺動体の隆起部を正面側から見て、左右どちらか一方向に傾斜して配設しているが、摺動体が摺動する溝や筆記体を区画する区画部材によって、各摺動体の隆起部を正面側から見て、左右どちらか一方向に傾斜して配設してあってもよい。但し、圧入部の後方に形成した突設部によって、各摺動体の隆起部を正面側から見て、左右どちらか一方向に傾斜するほうが、操作性も良好で、且つ突設部以外の方向において、摺動体に対して筆記体が傾斜し易く、よりスムーズな出没作動を得ることができるので好ましい。また、突設部の形状も特に限定されないが、円弧状とすることで、軸筒の内壁が突設部に当接しても傾動し易いので好ましい。
【００３７】
また、本実施例では、筆記体の筒体を合成樹脂製で形成してあるが、傾斜する筆記体の筒体を撓み易い合成樹脂製、その他の筆記体の筒体を金属製とすることで、本発明の効果は顕著である。
【産業上の利用可能性】
【００３８】
本発明のスライド式の多芯筆記具は、前述したボールペン体２本、シャープペンシル体１本の３本の多芯筆記具に限定されるものではなく、ボールペン体を３本やシャープペンシル２本、ボールペン体１本など、３本の筆記体を収納したスライド式の多芯筆記具として幅広く用いることができる。
【符号の説明】
【００３９】
１、１１  スライド式の多芯筆記具
２、２２  前軸
２ａ、２２ａ  先端開口部
３、２３  後軸
４、２４  摺動ケース
５、６、２５、２６、３６  摺動体
５ａ、６ａ、２５ａ、２６ａ、３６ａ  隆起部
５ｂ、６ｂ、２５ｂ、２６ｂ  係止部
５ｃ、６ｃ、２５ｃ、２６ｃ  解除突起
５ｄ  圧入部
５ｅ  突設部
７、２７  区画部材
８、１１、２８、３１、３７  筆記体
９、１２、２９、３２、３８  筒体
１０、１３、３０、３３、３９  筆記先端部
１４、１５、３４、３５、４０  コイルスプリング
Ｊ  軸心
【図１】
0005550375.tif 000002
【図２】
0005550375.tif 000003
【図３】
0005550375.tif 000004
【図４】
0005550375.tif 000005
【図５】
0005550375.tif 000006
【図６】
0005550375.tif 000007
【図７】
0005550375.tif 000008
【図８】
0005550375.tif 000009
【図９】
0005550375.tif 000010
【図１０】
0005550375.tif 000011
【図１１】
0005550375.tif 000012
【図１２】
0005550375.tif 000013